(57)【要約】【課題】商品提供者又は利用者にとって、より利便性の高いギフトシステムを提供すること。【解決手段】１以上の商品を含むギフト商品リストを利用する利用者と、１以上の商品のうち少なくとも一部を提供可能な商品提供者Ｐとを支援する情報処理装置において、受付部１０２は、利用者Ｍから要求される提供条件と、商品提供者Ｐから要求される利用条件とを受付ける。判断部１０３は、提供条件及び利用条件に基づいて、利用者Ｍにより利用されるギフト商品リストに、提供者Ｍにより提供可能な商品を含めるか否かの判断を行う。これにより上記の課題を解決する。【選択図】図６
2020140661.tif 000002
【特許請求の範囲】
【請求項１】
１以上のアイテムを含むギフト商品リストを利用する利用者と、前記１以上のアイテムのうち少なくとも一部を提供可能な提供者とを支援する情報処理装置において、
前記利用者の側から要求される第１条件と、前記提供者の側から要求される第２条件とを受付ける受付手段と、
前記第１条件及び前記第２条件に基づいて、前記利用者により利用されるギフト商品リストに、前記提供者により提供可能なアイテムを含めるか否かの判断を行う判断手段と、
を備える情報処理装置。
【請求項２】
前記受付手段は、
前記利用者及び前記提供者以外の要素に基づく第３条件をさらに受付け、
前記判断手段は、前記第１条件及び前記第２条件に加えてさらに、前記第３条件に基づいて前記判断を行う、
請求項１に記載の情報処理装置。
【請求項３】
前記第１条件には、前記ギフト商品リストに含めるアイテム又はそれを提供する提供者に関する条件が含まれる、
請求項１又は２に記載の情報処理装置。
【請求項４】
前記第２条件には、前記提供者により提供されるアイテムを含む前記ギフト商品リスト又はそれを利用する利用者に関する条件が含まれる、
請求項１乃至３のうちいずれか１項に記載の情報処理装置。
【請求項５】
前記第３条件には、トレンドに関する条件が含まれる、
請求項１乃至４のうちいずれか１項に記載の情報処理装置。
【発明の詳細な説明】
【技術分野】
【０００１】
本発明は、情報処理装置に関する。
【背景技術】
【０００２】
従来より、カタログを電子化して、ギフトをもらう人に商品を選択させる技術は存在する（例えば特許文献１参照）。この技術によれば、ギフトをもらう人（以下、「ギフト受取者」と呼ぶ）は、所定のウェブサイトにアクセスし、電子化されたカタログの中から所望の商品を選択して、所定の入力フォームに自身の個人情報を入力する。これにより、ギフト受取者は、自身が選択した商品をギフトとして配送してもらうことができる。
このような技術が適用されたカタログ（以下、「カタログギフト」と呼ぶ）を利用して、中元や歳暮、キャンペーン、ノベルティ、又は株主優待としてカタログギフトを顧客等に配布等する企業（以下、「利用者」と呼ぶ）も存在する。
【先行技術文献】
【特許文献】
【０００３】
【特許文献１】特開２０１０−１６０７９９号公報
【発明の概要】
【発明が解決しようとする課題】
【０００４】
しかしながら、カタログギフト等に対して商品を提供する者（以下、「商品提供者」と呼ぶ）の立場では、例えば、自社のブランドイメージを守る等の理由から、商品の提供に条件を設定したい場合もある。
また、利用者の立場としても、カタログギフト等に掲載する商品について条件を設定したい場合もある。
【０００５】
本発明は、このような状況に鑑みてなされたものであり、商品提供者又は利用者にとって、より利便性の高いギフトシステムを提供することを目的とする。
【課題を解決するための手段】
【０００６】
上記目的を達成するため、本発明の一態様の情報処理装置は、
１以上のアイテムを含むギフト商品リストを利用する利用者と、前記１以上のアイテムのうち少なくとも一部を提供可能な提供者とを支援する情報処理装置において、
前記利用者の側から要求される第１条件と、前記提供者の側から要求される第２条件とを受付ける受付手段と、
前記第１条件及び前記第２条件に基づいて、前記利用者により利用されるギフト商品リストに、前記提供者により提供可能なアイテムを含めるか否かの判断を行う判断手段と、
を備える。
【０００７】
また、前記受付手段は、
前記利用者及び前記提供者以外の要素に基づく第３条件をさらに受付け、
前記判断手段は、前記第１条件及び前記第２条件に加えてさらに、前記第３条件に基づいて前記判断を行うことができる。
【０００８】
また、前記第１条件には、前記ギフト商品リストに含めるアイテム又はそれを提供する提供者に関する条件を含めることができる。
【０００９】
また、前記第２条件には、前記提供者により提供されるアイテムを含む前記ギフト商品リスト又はそれを利用する利用者に関する条件を含めることができる。
【００１０】
また、前記第３条件には、トレンドに関する条件を含めることができる。
【発明の効果】
【００１１】
本発明によれば、商品提供者及び利用者にとって、より利便性の高いギフトシステムを提供することができる。
【図面の簡単な説明】
【００１２】
【図１】本発明の一実施形態の情報処理装置を含む情報処理システムにより実現可能な本サービスの概要を示すイメージ図である。
【図２】利用条件、提供条件、及び検討条件に基づいてギフト商品リストが生成されるイメージを示す図である。
【図３】利用条件及び提供条件に基づいて作成されたギフト商品リストの具体例を示す図である。
【図４】本発明の情報処理装置の一実施形態に係るサーバを含む、情報処理システムの構成を示す図である。
【図５】図４の情報処理システムのうちサーバのハードウェア構成の一例を示すブロック図である。
【図６】図４のサーバの機能的構成のうち、掲載判定処理が実現可能になる機能的構成の一例を示す機能ブロック図である。
【発明を実施するための形態】
【００１３】
以下、本発明の実施形態について図面を用いて説明する。
図１は、本発明の一実施形態の情報処理装置を含む情報処理システムにより実現可能な本サービスの概要を示すイメージ図である。
【００１４】
まず図１を参照しつつ、図４で後述する情報処理システムの適用対象となるサービス（以下、「ギフト関連サービス」と呼ぶ）の概略について説明する。
なお、ギフト関連サービスは、具体的には、図１全体に示されるフローのうち、主として破線で囲まれたフローにより構成されるサービスである。
【００１５】
図１の例では、ギフト関連サービスにおいて、ギフト関連サービスの提供者であるサービス提供者Ｇは、商品提供者Ｐから提供された商品に関するデータに基づいて、当該商品をギフトの候補として少なくとも含む商品リスト（以下、「ギフト商品リスト」と呼ぶ）を生成する。
このようなギフト商品リストには、それに掲載されている１以上の商品のうち所望の１以上の商品をギフトとして受け取れる権利（以下、「ギフトを受ける権利」と呼ぶ）が付与されている。
即ち、以下において、ギフト商品リストが流通（譲渡等）されるとは、ギフトを受ける権利が譲渡されることも意味する。
また、ギフト商品リストの形態は、ギフトを受ける権利を有する者が、ギフトとして受け取れる１以上の商品が何であるのかを認識できる形態であれば足り、例えば、通常の紙媒体の形態でもよいし、Ｗｅｂサイトの形態でもよい。
【００１６】
ここで、ギフト商品リストの流通のための方法は特に限定されず、例えば次のような第１乃至第４の方法を採用することができる。
例えばギフト商品リストの流通のための第１の方法は、例えばサービス提供者Ｇが連携者Ｆに対し、後述する第２の方法や第３の方法で用いられるシステムを提供（例えば賃貸）する方法である。システムを借り入れた連携者Ｆは、そのシステムを自身で利用すること又は他者に利用させる。その結果、ギフト商品リストに掲載された商品等が、ギフト受取者Ｂに譲渡される（例えば販売等）こととなる。
ここで、システムの提供先となる連携者Ｆには、例えば、システム利用会社、ギフト商品リスト販売会社、海外のギフト関連会社等が含まれる。
具体的には、サービス提供者Ｇは、連携者Ｆに対し、ＡＰＩ（Ａｐｐｌｉｃａｔｉｏｎ  Ｐｒｏｇｒａｍｍｉｎｇ  Ｉｎｔｅｒｆａｃｅ）の連携と、システムの提供を行う。また、これとともに、連携者Ｆから提供された各種データ（以下、「連携情報」と呼ぶ）を取得する。
また、ギフト受取者Ｂは、提供されたギフト商品リストに掲載された商品のうち、自身が選択した商品をギフトとして受け取る。ギフト受取者Ｂには国内外の法人や個人が含まれる。
【００１７】
また例えば、ギフト商品リストの流通のための第２の方法として、ＩｏＴ（Ｉｎｔｅｒｎｅｔ  ｏｆ  Ｔｈｉｎｇｓ）領域Ｉを介して譲渡される方法を採用することができる。
ここで、Ｉｏｔ領域Ｉとは、例えば、ＡＩ（人工知能）を利用したＡＩスピーカ、デジタル家電等を取り扱う企業等が含まれる。そして、ギフト商品リストが譲渡された購入者Ｃは、ギフト受取者Ｂに対し、当該ギフト商品リストを贈与することができる。
【００１８】
また例えば、ギフト商品リストの流通のための第３の方法として、サービス提供者Ｇが、ギフト商品リストを、ＥＣサイト運営会社Ｅに対してギフト商品リストを販売する方法を採用することができる。なお、ギフトＥＣサイトの運営は、必ずしもＥＣサイト運営会社Ｅが自ら行っている必要はなく、例えば第三者に委託等する場合もある。
この第３の方法では、購入者Ｃは、ギフトＥＣサイトのＵＲＬをギフト受取者Ｂに通知することで、「ギフトを受ける権利」をギフト受取者Ｂに譲渡する。
ギフトＥＣサイトのＵＲＬの通知の方法は、特に限定されず、例えば、当該ＵＲＬが記載されたカード等の媒体を、購入者Ｃがギフト受取者Ｂに譲渡する方法を採用してもよいし、当該ＵＲＬを記載したＥメール等を購入者Ｃの端末からギフト受取者Ｂの端末に送付する方法を採用してもよい。
なお、このギフト商品リストの流通のための第３の方法は、例えば、引き出物、地方創生、お土産、誕生祝い等に用いることができる。
【００１９】
また例えば、ギフト商品リストを流通するための第４の方法は、ギフト商品リストを利用したＥＣサイト等を作成又は管理する利用者Ｍに対して、当該ギフト商品リストを流通する方法である。
この第４の方法では、ギフト商品リストに含める商品は、予め特定されておらず、利用者Ｍ自身の商品でもよいし、商品提供者Ｐにより提供される商品でもよい。換言すると、第４の方法では、利用者Ｍは、自身のポリシー等に従って、所望の商品をギフト商品リストに含めることができる。
利用者Ｍは、自身の顧客であるギフト受取者Ｂに対し、そのＥＣサイトのＵＲＬ等を通知する。この通知の方法は、第３の方法と同様に特に限定されず、例えば、当該ＵＲＬが記載されたカード等の媒体を用いる手法を採用することができる。この場合、利用者Ｍは、中元・歳暮、キャンペーン、ノベルティ、株式優待等として、当該カード等の媒体をギフト受取者Ｂに譲渡することで、ギフト商品リストに掲載された商品についてのギフトを受ける権利をギフト受取者Ｂに譲渡することができる。
本サービスは、ギフト関連サービスのうちの、主として第４の方法に属するサービスであり、以下、詳細に説明していく。
【００２０】
上述の通り、本サービスにおいて、サービス提供者Ｇは、商品提供者Ｐから提供された商品を、単に組み合わせて、ギフト商品リストを作成する訳ではない。
即ち、サービス提供者Ｇは、商品提供者Ｐにより提供される商品をギフト商品リストに掲載するために利用者Ｍが満たすべき条件として、商品提供者Ｐから要求される条件（以下、「利用条件」と呼ぶ）と、ギフト商品リストに対して利用者Ｍが所望する条件として、利用者Ｍから要求される条件（以下、「提供条件」と呼ぶ）と、の夫々の条件を考慮して、ギフト商品リストを作成する。
具体的に例えば、商品提供者Ｐは、高級感のあるブランディング戦略を行っており、安価な商品を行っている企業には、自身の商品を利用して欲しくないという要望があるとする。
他方、利用者Ｍは、自身と関係性の深い商品提供者Ｐの提供する商品が優先的に掲載されているギフト商品リストが望ましいという要望があったとする。
本サービスにおいて、サービス提供者Ｇは、このような利用条件および提供条件の双方を考慮しつつ、ギフト商品リストを自動的に生成することができる。
これにより、商品提供者Ｐ及び利用者Ｍの要望を最大限反映しつつ、商品提供者Ｐ、利用者Ｍ、及びサービス提供者Ｇの夫々にとって最小の負担で、ギフト商品リストが生成されることになる。
なお、本サービスにおいて、利用条件は、商品提供者Ｐの要求に基づいて設定されてもよいし、ＡＩ（人工知能）により、商品提供者Ｐに適した条件が自動で設定されるものとしてもよい。また、提供条件は、利用者Ｍの要求に基づいて設定されてもよいし、ＡＩ（人工知能）により、利用者Ｍに適した条件が自動で設定されるものとしてもよい。以下、利用条件及び提供条件について、さらに詳細に説明する。
【００２１】
例えば、商品提供者Ｐが、ハイクラス（Ｈｉｇｈ  Ｃｌａｓｓ）のブランドイメージを有する企業である場合には、ブランド戦略上、自身が提供する商品がどこで利用されるのかを気にする場合がある。このような場合、従来であれば、サービス提供者Ｇのマンパワーによるマッチングが行われていたが、本サービスを利用する商品提供者Ｐであれば、以下のことが可能になる。
即ち、商品提供者Ｐは、自身の提供する商品が、ロークラス（Ｌｏｗ  Ｃｌａｓｓ）のブランドイメージを有する企業の商品を含むギフト商品リストに掲載されないようにするための条件を設定することができる。
これにより、商品提供者Ｐは、自身のブランドイメージを保持することができるようになる。
【００２２】
また、利用者Ｍが、顧客等に抱かせる企業イメージを特に重んじる企業である場合がある。
具体的には例えば、利用者Ｍがハイクラスのブランドイメージを有する企業である場合には、ブランド戦略上、顧客に配布するギフト商品リストに掲載される商品の選定を厳格に行う場合がある。このような場合、従来であれば、サービス提供者Ｇのマンパワーによるマッチングが行われていたが、本サービスを利用する利用者Ｍであれば、以下のことが可能になる。即ち、利用者Ｍは、顧客に配布するギフト商品リストに掲載される商品に、ロークラスのブランドイメージを有する企業の商品が含まれないようにするための条件を設定することができる。これにより、利用者Ｍは、自身のブランドイメージを保持することができるようになる。
【００２３】
また、利用者Ｍが、特定の地域で活躍しているイメージが強い企業である場合には、イメージ戦略上、ギフト商品リストに掲載される商品の生産地等に制限を設けたいとする場合がある。このような場合においても、利用者Ｍは、ギフト商品リストに掲載される商品の生産地等に制限を設けることができる。
例えば、利用者Ｍが、北海道で活躍しているイメージが強い企業である場合には、ギフト商品リストに掲載される商品の生産地等に制限を設けるための条件を設定することができる。具体的には、ギフト商品リストに掲載される商品の生産地等について、北海道に限定するという条件を設定することができる。これにより、利用者Ｍは、例えば北海道産の農産物、畜産物、水産物を利用した、いわゆるご当地グルメ等の商品をギフト商品リストに掲載させることができる。
また、北海道は冷涼な気候であるイメージが強いため、温暖な気候のイメージが強い沖縄県等を対象から外す条件等を設定することもできる。
これにより、利用者Ｍは、自身の企業イメージを保持することができるようになる。
【００２４】
また例えば、利用者Ｍのイメージに相応しい商品のみがギフト商品リストに掲載されるように条件を設定することもできる。
具体的には例えば、利用者Ｍがウォータサーバを提供する企業である場合には、茶葉や水菓子等といった、「水」のイメージに合う商品がギフト商品リストに掲載されるように条件を設定することができる。さらに例えば、利用者Ｍがカーディーラーである場合には、車内用の芳香剤や装飾品といった、「車」のイメージに合う商品がギフト商品リストに掲載されるように条件を設定することもできる。
【００２５】
また、利用者Ｍの中には、ブランド戦略やイメージ戦略とは別に、特定の地域で生産等された商品を積極的に取扱いたいとする場合もある。このような場合においても、利用者Ｍはギフト商品リストに掲載される商品の生産地等に制限を設けることができる。
例えば、利用者Ｍが、事業の一環として災害等で被災した地域の復興の支援を行っている企業である場合には、ギフト商品リストに掲載される商品の生産地等に制限を設けるための条件を設定することができる。具体的には、ギフト商品リストに掲載される商品の生産地等を、復興を掲げる被災地に限定するという条件等を設定することができる。これにより、利用者Ｍは、災害等で被災した地域の復興の一助とすべく、ギフト商品リストを活用することができる。
【００２６】
図２は、利用条件、提供条件、及び検討条件に基づいてギフト商品リストが生成されるイメージを示す図である。なお、以下のサービス提供者Ｇによる処理は、実際には、サービス提供者Ｇが管理するサーバ１（図３）において実行される処理である。
【００２７】
サービス提供者Ｇは、利用者Ｍから要求される提供条件と、商品提供者Ｐから要求される利用条件とを受付ける。
また、サービス提供者Ｇは、検討材料として利用条件及び提供条件に加えられる他の条件（以下、「検討条件」と呼ぶ）を受付ける。検討条件には、連携者Ｆから提供される連携情報に基づく条件と、インターネット上のＷｅｂページやＳＮＳ（Ｓｏｃｉａｌ  Ｎｅｔｗｏｒｋｉｎｇ  Ｓｅｒｖｉｃｅ）に掲載されているトレンド（流行）に関する情報（以下、「トレンド情報」と呼ぶ）に基づく条件とが含まれる。
【００２８】
提供条件、利用条件、及び検討条件を受付けたサービス提供者Ｇは、これらの情報に基づいて、ギフト商品リストに、商品提供者Ｐにより提供可能な商品を含めるか否かの判断を行い、その判断結果が反映されたギフト商品リストを作成する。
これにより、サービス提供者Ｇは、利用者Ｍ及び商品提供者Ｐの夫々の要求に合う商品のラインナップからなるギフト商品リストを生成し、これをギフト受取者Ｂに対し直接販売したり、利用者Ｍに提案したりすることができる。
さらに、提供条件、利用条件、及び検討条件のマッチングでは、ＡＩ（人工知能）を用いて、これらの条件に重み付けを行うこともできる。これにより、マッチングの精度を向上させることができるとともに、商品提供者Ｐや商品の人気ランキングをギフト商品リストに掲載させることもできる。
その結果、サービス提供者Ｇは、商品提供者Ｐ及び利用者にとって、より利便性の高いギフトシステムを提供することができる。
【００２９】
次に、図３を参照して、利用条件及び提供条件に基づいて作成されたギフト商品リストの具体例について説明する。
図３は、利用条件及び提供条件に基づいて作成されたギフト商品リストの具体例を示す図である。
【００３０】
図３（Ａ）には、商品提供者Ｐ１により設定された利用条件に、「自身の提供する商品が、ロークラスのブランドイメージを有する企業の商品を含むギフト商品リストに掲載されないようにする」という条件が含まれていた場合の例が示されている。図３（Ａ）に示すように、ロークラスのブランドイメージを有する企業（例えば商品提供者Ｐ１１乃至Ｐ１３）の商品が掲載されたギフト商品リストＤ１には、商品提供者Ｐ１により提供される商品は掲載されていない。
【００３１】
図３（Ｂ）には、利用者Ｍにより設定された提供条件に、「顧客に配布するギフト商品リストに掲載される商品に、ロークラスのブランドイメージを有する企業の商品が含まれないようにする」という条件が含まれていた場合の例が示されている。図３（Ｂ）に示すように、ギフト商品リストＤ２には、ハイクラスのブランドイメージを有する企業（例えば商品提供者Ｐ１乃至Ｐ３）により提供される商品が掲載されており、ロークラスのブランドイメージを有する企業（例えば商品提供者Ｐ１１乃至Ｐ１３）の商品は掲載されていない。
このように、本サービスによれば、利用条件と提供条件とを満たすようにギフト商品リストが生成されるので、商品提供者又は利用者にとって、より利便性の高いギフトシステムを提供することが可能となる。
【００３２】
次に、図１及び図３に示す本サービスの提供を実現化させる情報処理システムの構成について説明する。
図４は、本発明の情報処理装置の一実施形態に係るサーバ１を含む、情報処理システムの構成を示す図である。
【００３３】
図４に示す情報処理システムは、サーバ１と、提供者端末２−１乃至２−ｎ（ｎは１以上の整数値）と、利用者端末３−１乃至３−ｍ（ｍは１以上の整数値）とを含むように構成されている。
サーバ１、提供者端末２−１乃至２−ｎ、及び利用者端末３−１乃至３−ｍの夫々は、インターネット等の所定のネットワークＮを介して相互に接続されている。
【００３４】
サーバ１は、サービス提供者Ｇにより管理される情報処理装置である。サーバ１は、提供者端末２−１乃至２−ｎ、及び利用者端末３−１乃至３−ｍと適宜通信をしながら、本サービスを実現するための各種処理を実行する。
【００３５】
具体的には、サーバ１は、提供者端末２−１乃至２−ｎの夫々から送信されてくる商品提供者Ｐ１乃至Ｐｎの夫々に関する情報（以下、「提供者情報」と呼ぶ）と、利用者端末３−１乃至３−ｍの夫々から送信されてくる利用者Ｍ１乃至Ｍｍの夫々に関する情報（以下、「利用者情報」と呼ぶ）とを取得する。
これにより、サーバ１は、商品提供者Ｐ及び利用者Ｍの夫々の要求をマッチングさせることで、商品提供者Ｐ、利用者Ｍ、及びサービス提供者Ｇの夫々にとって最適となる商品のラインナップからなるギフト商品リストを作成する。
【００３６】
また、サーバ１は、商品提供者Ｐ及び利用者Ｍの夫々の要求に基づく条件（利用条件及び提供条件）のみならず、それ以外の要素に基づく条件を検討材料として加えてマッチングを行うこともできる。この利用条件及び提供条件以外の条件の内容は特に限定されない。
上述したように、サーバ１は、トレンド情報や連携情報に基づく検討条件を加えてマッチングを行うこともできる。
【００３７】
提供者端末２−１乃至２−ｎの夫々は、商品提供者Ｐ１乃至Ｐｎの夫々により操作される情報処理装置である。提供者端末２−１乃至２−ｎは、例えばスマートフォン、タブレット等で構成される。
提供者端末２−１乃至２−ｎの夫々は、商品提供者Ｐ１乃至Ｐｎの夫々により入力された情報のうち、提供者情報、及び利用条件を示す情報をサーバ１に送信する。
以下、商品提供者Ｐ１乃至Ｐｎを区別せずに「商品提供者Ｐ」と呼んでいる場合、提供者端末２−１乃至２−ｎをまとめて、「提供者端末２」と呼ぶ。
【００３８】
提供者端末２には、例えば本実施形態では、本サービスの提供を受けるための専用のアプリケーションプログラム（以下、「専用アプリ」と呼ぶ）がインストールされている。なお、以下、断りのない限り、「商品提供者Ｐが提供者端末２を操作する」と表現している場合、それは、商品提供者Ｐが、提供者端末２にインストールされた専用アプリを起動して各種操作を行うことを意味するものとする。
【００３９】
利用者端末３−１乃至３−ｍの夫々は、利用者Ｍ１乃至Ｍｍの夫々により操作される情報処理装置である。利用者端末３−１乃至３−ｍは、例えばスマートフォン、タブレット等で構成される。
利用者端末３−１乃至３−ｍの夫々は、利用者Ｍ１乃至Ｍｍの夫々により入力された情報のうち、利用者情報、及び提供条件を示す情報をサーバ１に送信する。
以下、利用者Ｍ１乃至Ｍｍを区別せずに「利用者Ｍ」と呼んでいる場合、利用者端末３−１乃至３−ｍをまとめて、「利用者端末３」と呼ぶ。
【００４０】
利用者端末３には、例えば本実施形態では、本サービスの提供を受けるための専用アプリがインストールされている。なお、以下、断りのない限り、「利用者Ｍが利用者端末３を操作する」と表現している場合、それは、利用者Ｍが、利用者端末３にインストールされた専用アプリを起動して各種操作を行うことを意味するものとする。
【００４１】
次に、図４の情報システムのうちサーバ１のハードウェア構成について説明する。
図５は、図４の情報処理システムのうちサーバ１のハードウェア構成の一例を示すブロック図である。
【００４２】
サーバ１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｙ）１３と、バス１４と、入出力インターフェース１５と、出力部１６と、入力部１７と、記憶部１８と、通信部１９と、ドライブ２０と、を備えている。
【００４３】
ＣＰＵ１１は、ＲＯＭ１２に記録されているプログラム、又は記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００４４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、出力部１６、入力部１７、記憶部１８、通信部１９及びドライブ２０が接続されている。
【００４５】
出力部１６は、液晶等のディスプレイにより構成され、各種画像を表示する。
入力部１７は、各種ハードウェア釦等で構成され、操作者の指示操作に応じて各種情報を入力する。
【００４６】
記憶部１８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して他の装置（提供者端末２、及び利用者端末３）との間で行う通信を制御する。
【００４７】
ドライブ２０は、必要に応じて設けられる。ドライブ２０には、磁気ディスク、光ディスク、光磁気ディスク、或いは半導体メモリ等よりなる、リムーバブルメディア３０が適宜装着される。ドライブ２０によってリムーバブルメディア３０から読み出されたプログラムは、必要に応じて記憶部１８にインストールされる。また、リムーバブルメディア３０は、記憶部１８に記憶されている各種データも、記憶部１８と同様に記憶することができる。
【００４８】
なお、図示はしないが、図４の情報処理システムのうち、提供者端末２、及び利用者端末３も、図５に示すハードウェア構成を有している。ただし、提供者端末２又は利用者端末３がスマートフォンやタブレットで構成される場合には、出力部１６及び入力部１７として、タッチパネルを有している。
【００４９】
このような図５のサーバ１の各種ハードウェアと各種ソフトウェアとの協働により、サーバ１において、掲載判定処理等の各種処理の実行が可能になる。その結果、サービス提供者Ｇは、ユーザＵに対し、上述のサービスを提供することができる。
ここで、「掲載判定処理」とは、利用者Ｍが顧客（ギフト受取者Ｂ）に配布するギフト商品リストに、商品提供者Ｐにより提供される商品を掲載するか否かを判定する処理をいう。
【００５０】
図６は、図４のサーバ１の機能的構成のうち、掲載判定処理が実現可能になる機能的構成の一例を示す機能ブロック図である。
【００５１】
図６に示すように、サーバ１のＣＰＵ１１においては、掲載判定処理が実行される場合には、取得部１０１と、受付部１０２と、判断部１０３とが機能する。
サーバ１の記憶部１８の一領域には、利用者ＤＢ４０１と、提供者ＤＢ４０２と、条件ＤＢ４０３とが設けられている。
【００５２】
以下、掲載判定処理を実現可能な機能的構成について説明する。
取得部１０１は、顧客にギフト商品リストを提供（配布）する利用者Ｍに関する利用者情報と、本サービスに商品を提供する商品提供者Ｐに関する提供者情報とを取得する。
具体的には、取得部１０１は、利用者端末３から送信されてきた利用者情報と、提供者端末２から送信されてきた提供者情報とを取得する。
取得部１０１により取得された利用者情報及び提供者情報の夫々は、利用者ＤＢ４０１及び提供者ＤＢ４０２の夫々に記憶させて管理される。
また、取得部１０１は、トレンド情報、及び連携情報を取得する。
【００５３】
受付部１０２は、利用者の側から要求される第１条件と、提供者の側から要求される第２条件とを受付ける。
具体的には、受付部１０２は、利用者Ｍから要求される提供条件と、商品提供者Ｐから要求される利用条件とを受付ける。
受付部１０２により受付けられた利用条件及び提供条件は、条件ＤＢ４０３に記憶させて管理される。
【００５４】
また、受付部１０２は、利用者及び提供者以外の要素に基づく第３条件を受付ける。
具体的には、受付部１０２は、利用者Ｍからの要求、及び商品提供者Ｐからの要求以外の検討材料として取得されたトレンド情報及び連携情報に基づく検討条件を受付ける。
受付部１０２により受付けられた検討条件は、条件ＤＢ４０３に記憶させて管理される。
【００５５】
判断部１０３は、第１条件及び第２条件に基づいて、利用者により利用されるギフト商品リストに、提供者により提供可能なアイテムを含めるか否かの判断を行う。
具体的には、判断部１０３は、利用条件及び提供条件に基づいて、利用者Ｍにより利用されるギフト商品リストに、商品提供者Ｐにより提供可能な商品を含めるか否かの判断を行う。
【００５６】
また、判断部１０３は、第１条件及び第２条件に第３条件を加えて、利用者により利用されるギフト商品リストに、提供者により提供可能なアイテムを含めるか否かの判断を行う。
具体的には、判断部１０３は、利用条件及び提供条件に加えてさらに、トレンド条件に基づいて、利用者Ｍにより利用されるギフト商品リストに、商品提供者Ｐにより提供可能な商品を含めるか否かの判断を行う。
【００５７】
以上の機能的構成を有するサーバ１により掲載判定処理を実行することができる。
これにより、商品提供者Ｐ、利用者Ｍ、トレンド情報、及び連携情報の夫々に基づく条件をマッチングさせて、商品提供者Ｐにより提供される商品のギフト商品リストへの掲載の有無を自動で判断することが可能となる。
【００５８】
以上、本発明の一実施形態について説明したが、本発明は、上述の実施形態に限定されるものではなく、本発明の目的を達成できる範囲での変形、改良等は本発明に含まれるものである。
【００５９】
例えば、上述の実施形態では、提供者端末２及び利用者端末３の夫々にインストールされた専用アプリを起動させることで、提供者端末２及び利用者端末３の夫々において本サービスを利用することができる。ただし、これに限定されず、専用アプリをインストールすることなく、所定のウェブサイトにアクセスし、所定のログイン操作を行うことで本サービスを利用できるようにしてもよい。
【００６０】
また例えば、上述の実施形態では、利用条件及び提供条件として、利用者Ｍ及び商品提供者Ｐの夫々のブランドイメージ及び企業イメージについての条件が設定されているが、これらに限定されない。利用条件及び提供条件として、あらゆる条件を設定することができる。
例えば、商品提供者Ｐ及び利用者Ｍの夫々における、商品の運賃の負担や、商品が配送されるまでに要する時間等の要求に基づいて、ギフト商品リストに掲載される商品の生産地等に制限を設けるための利用条件及び提供条件が設定されてもよい。
また例えば、利用条件として、利用者Ｍを具体的に指定する条件、他社提供商品との並び方に関する条件、利用者Ｍを法人のみに絞ることとする条件、利用者Ｍの業種を絞る（例えばカーディーラーのみに限定する）条件、ギフト商品リストの用途を絞る条件、商品が提供される時期で絞る条件、又は価格に問題なければどのギフト商品リストに掲載されてもよいとする条件等を設定することができる。
また、提供条件として、商品提供者Ｐを具体的に指定する条件、提供される商品を具体的に指定する条件、提供される商品のジャンル（例えばグルメ、雑貨等）を具体的に指定する条件、提供される商品の価格帯を絞る条件を設定することができる。又はどのような商品であってもよいとすることもできる。
【００６１】
また、上述の実施形態では、明確に言及はしてはいないが、ギフトとして採用される商品には、ＩｏＴの技術が応用されてもよい。
具体的に例えば、ギフト受取者Ｂが受け取ったギフトが冷蔵庫（図示せず）であった場合、その冷蔵庫に保存されている食品等を判別するセンサ等を搭載する等してもよい。
そして、例えば、冷蔵庫に保存されていた牛乳がなくなった場合には、その旨がギフトを贈る者（例えば利用者Ｍ）等に伝達されて、次回贈るギフトの選択に考慮できるようにしてもよい。
【００６２】
また例えば、ギフト商品リストに掲載される商品には、役務の提供を受ける権利が含まれていてもよい。例えばレストランの食事券、旅行券、コンサートチケットは、いずれもギフト商品リストに掲載され得る商品の一例である。つまり、本発明における「アイテム」は、有体物である商品と、役務の提供を受ける権利のように無体物である商品とのいずれをも包含する概念として用いられる。
【００６３】
また、図５に示すサーバ１のハードウェア構成は、本発明の目的を達成するための例示に過ぎず、特に限定されない。
【００６４】
また、図６に示す機能ブロック図は、例示に過ぎず、特に限定されない。即ち、上述した一連の処理を全体として実行できる機能が情報処理システムに備えられていれば足り、この機能を実現するためにどのような機能ブロックを用いるのかは、特に図６の例に限定されない。
【００６５】
また、機能ブロックの存在場所も、図６に限定されず、任意でよい。
また、１つの機能ブロックは、ハードウェア単体で構成してもよいし、ソフトウェア単体で構成してもよいし、それらの組み合わせで構成してもよい。
【００６６】
各機能ブロックの処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えばサーバの他汎用のスマートフォンやパーソナルコンピュータであってもよい。
【００６７】
このようなプログラムを含む記録媒体は、各ユーザにプログラムを提供するために装置本体とは別に配布される、リムーバブルメディアにより構成されるだけではなく、装置本体に予め組み込まれた状態で各ユーザに提供される記録媒体等で構成される。
【００６８】
なお、本明細書において、記録媒体に記録されるプログラムを記述するステップは、その順序に添って時系列的に行われる処理はもちろん、必ずしも時系列的に処理されなくとも、並列的或いは個別に実行される処理をも含むものである。
【００６９】
また、本明細書において、システムの用語は、複数の装置や複数の手段等より構成される全体的な装置を意味するものである。
【００７０】
以上まとめると、本発明が適用される情報処理装置は、次のような構成を取れば足り、各種各様な実施形態を取ることができる。
即ち、本発明が適用される情報処理装置（例えば図６のサーバ１）は、
１以上のアイテム（例えば商品）を含むギフト商品リスト（例えば図３のギフト商品リストＤ１及びＤ２）を利用する利用者（例えば図１の利用者Ｍ）と、前記１以上のアイテムのうち少なくとも一部を提供可能な提供者（例えば図１の商品提供者Ｐ）とを支援する情報処理装置において、
前記利用者の側から要求される第１条件（例えば図２の提供条件）と、前記提供者の側から要求される第２条件（例えば図２の利用条件）とを受付ける受付手段（例えば図６の受付部１０２）と、
前記第１条件及び前記第２条件に基づいて、前記利用者により利用されるギフト商品リストに、前記提供者により提供可能なアイテムを含めるか否かの判断を行う判断手段（例えば図６の判断部１０３）と、
を備える。
【００７１】
これにより、商品提供者Ｐ及び利用者Ｍにとって、より利便性の高いギフトシステムを提供することができる。
【００７２】
また、前記受付手段は、
前記利用者及び前記提供者以外の要素に基づく第３条件（例えば図２の検討条件）をさらに受付け、
前記判断手段は、前記第１条件及び前記第２条件に加えてさらに、前記第３条件に基づいて前記判断を行うことができる。
【００７３】
これにより、商品提供者Ｐ及び利用者Ｍ以外の要素（例えばトレンド情報、連携情報）を含む、さらに利便性の高いギフトシステムを提供することができる。
【００７４】
また、前記第１条件には、前記ギフト商品リストに含めるアイテム又はそれを提供する提供者に関する条件を含むことができる。
【００７５】
これにより、商品提供者Ｐ及び利用者Ｍのうち、特に商品提供者とってさらに利便性の高いギフトシステムを提供することができる。
【００７６】
また、前記第２条件には、前記提供者により提供されるアイテムを含む前記ギフト商品リスト又はそれを利用する利用者に関する条件を含むことができる。
【００７７】
これにより、商品提供者Ｐ及び利用者Ｍのうち、特に商品提供者Ｐとってさらに利便性の高いギフトシステムを提供することができる。
【００７８】
また、前記第３条件には、トレンドに関する条件を含むことができる。
【００７９】
これにより、商品提供者Ｐに関する条件及び利用者Ｍに関する条件以外の条件としてのトレンドに関する条件を含む、さらに利便性の高いギフトシステムを提供することができる。
【符号の説明】
【００８０】
１：サーバ、２，２−１乃至２−ｎ：提供者端末、３，３−１乃至３−ｍ：利用者端末、１１：ＣＰＵ、１２：ＲＯＭ、１３：ＲＡＭ、１４：バス、１５：入出力インターフェース、１６：出力部、１７：入力部、１８：記憶部、１９：通信部、２０：ドライブ、３０：リムーバブルメディア、１０１：取得部、１０２：受付部、１０３：判断部、４０１：利用者ＤＢ、４０２：提供者ＤＢ、４０３：条件ＤＢ、Ｇ：サービス提供者、Ｐ，Ｐ１乃至Ｐ３，Ｐ１１乃至Ｐ１３：商品提供者、Ｍ：利用者、Ｆ：連携者、Ｉ：ＩｏＴ領域、Ｅ：ギフトＥＣサイト、Ｃ：購入者、Ｂ：ギフト受取者、Ｄ１，Ｄ２：ギフト商品リスト
【図１】
2020140661.tif 000003
【図２】
2020140661.tif 000004
【図３】
2020140661.tif 000005
【図４】
2020140661.tif 000006
【図５】
2020140661.tif 000007
【図６】
2020140661.tif 000008